(57)【特許請求の範囲】
【請求項１】
燃料電池と、
燃料電池を冷却するための冷媒を流す冷媒経路と、
冷媒経路に設けられ、冷媒を冷却するラジエータと、を備える燃料電池搭載車両であって、
冷媒経路は、ラジエータの下端に上下方向に対向し、かつ、地面と直接対向する部分、または地面とカバー相当部材のみを介して対向する部分に、少なくとも一部が設けられた弾性配管を有することを特徴とする燃料電池搭載車両。
【請求項２】
請求項１に記載の燃料電池搭載車両において、
カバー相当部材は、金属よりも変形しやすい材料製であることを特徴とする燃料電池搭載車両。
【請求項３】
請求項１または請求項２に記載の燃料電池搭載車両において、
車体を構成するフロアパネルの下側に、燃料電池を搭載していることを特徴とする燃料電池搭載車両。
【請求項４】
請求項１から請求項３のいずれか１に記載の燃料電池搭載車両において、
弾性配管の少なくとも一部は、冷媒経路を構成する配管のうちの最も下端に位置することを特徴とする燃料電池搭載車両。
【請求項５】
請求項１から請求項４のいずれか１に記載の燃料電池搭載車両において、
冷媒経路は、
燃料電池から送り出された冷媒を、ラジエータに通過させた後、冷媒ポンプに送り出すための本経路と、
燃料電池と冷媒ポンプとの間に、冷媒の流れに関して本経路と並列に接続されたバイパス経路と、を備え、
弾性配管は、バイパス経路の少なくとも一部を構成することを特徴とする燃料電池搭載車両。
【請求項６】
請求項１から請求項５のいずれか１に記載の燃料電池搭載車両において、
冷媒経路は、弾性配管の片側に接続した金属配管を備え、
金属配管において、弾性配管と接続する側である、下端寄り部分に、冷媒抜き取り用のドレンプラグを取り付けていることを特徴とする燃料電池搭載車両。
【請求項７】
請求項１から請求項６のいずれか１に記載の燃料電池搭載車両において、
ラジエータは、
主ラジエータと、
主ラジエータ用の冷媒経路に接続され、冷媒の流れに関して主ラジエータと並列に設けて、主ラジエータの下側に配置した副ラジエータと、により構成しており、
弾性配管の少なくとも一部は、副ラジエータの下端に上下方向に対向するように配置していることを特徴とする燃料電池搭載車両。
【請求項８】
請求項１または請求項２に記載の燃料電池搭載車両において、
ラジエータは、
主ラジエータと、
主ラジエータ用の冷媒経路に接続され、冷媒の流れに関して主ラジエータと並列に設けて、主ラジエータの下側に配置した副ラジエータと、により構成しており、
弾性配管の少なくとも一部は、副ラジエータの下端に上下方向に対向するように配置しており、
主ラジエータの車両前後方向後端に対向する部分に燃料電池を配置するとともに、
上下方向に関して燃料電池の下端よりも下側に副ラジエータを配置したことを特徴とする燃料電池搭載車両。
【発明の詳細な説明】
【技術分野】
【０００１】
本発明は、燃料電池と、燃料電池を冷却するための冷媒を流す冷媒経路と、冷媒経路に設けられ、冷媒を冷却するラジエータと、を備える燃料電池搭載車両に関する。
【背景技術】
【０００２】
従来から、環境に与える影響が少ないことから、車両に燃料電池を搭載した燃料電池搭載車両が考えられ、一部で実用化されている。燃料電池は、例えば燃料電池スタックのアノード側に水素ガス等の燃料ガスを供給し、カソード側に酸素を含む酸化ガス、例えば空気を供給し、電解質膜を通しての反応によって必要な電力を取り出す。この反応により燃料電池スタックは発熱する。この場合、燃料電池スタックの冷却のために、冷却水等の冷媒を流す冷媒経路を設けるとともに、燃料電池スタックに送る冷媒を、熱交換器であるラジエータで冷却することが考えられている。
【０００３】
また、特許文献１には、車両本体の床下、すなわち車室内のシートが設置される車体フロアパネルの下部に、燃料電池スタックと、床下燃料電池システムケースとを搭載した燃料電池システム搭載車両が記載されている。床下燃料電池システムケース内に、例えば、燃料供給系、空気供給系、加湿手段、冷却手段の各種機構部が収納されている。加湿手段は、燃料電池スタックに加湿用の純水を供給するもので、貯水タンク、貯水タンクの純水を汲み上げるためのポンプ、水供給配管、水回収配管を備え、貯水タンクを除く加湿手段の構成部材を貯水タンクよりも高い位置に配置している。
【０００４】
【特許文献１】特開２００５−１４６６６号公報
【発明の開示】
【発明が解決しようとする課題】
【０００５】
従来から、燃料電池スタックの冷却のための冷媒経路を構成する配管を、ステンレス鋼等の金属製の金属配管により構成することが考えられている。また、車両の下側の地面と直接対向する部分や、強度の低い材料により造った材料製のカバーを介して地面と対向する部分に、冷媒経路を構成する金属配管を設けることも考えられている。このような構成を有する燃料電池搭載車両では、車両が地面の段差を乗り越えたり、縁石に乗り上げる等により、地面側から車両の下部に衝撃が加わった場合に、金属配管からその上側の他の部品、例えばラジエータに力が加わる可能性がある。このように他の部品に力が加わると、他の部品が金属配管を構成する材料よりも強度の低い材料、例えばアルミニウム合金により造られている場合に、金属配管により他の部品が大きく変形したり、破損する可能性がないとはいえない。
【０００６】
これに対して、特許文献１に記載された燃料電池システム搭載車両の場合には、配管から上側の他の部品に加わる力を小さく抑えて、他の部品が大きく変形するのを防止するための手段は開示されていない。
【０００７】
本発明の目的は、燃料電池搭載車両において、車両の下部に地面側から力が加わった場合でも、燃料電池冷却用の冷媒を流す配管から上側の他の部品に加わる力を小さく抑えて、他の部品が大きく変形したり、破損することを有効に防止することを目的とする。
【課題を解決するための手段】
【０００８】
本発明に係る燃料電池搭載車両は、燃料電池と、燃料電池を冷却するための冷媒を流す冷媒経路と、冷媒経路に設けられ、冷媒を冷却するラジエータと、を備える燃料電池搭載車両であって、冷媒経路は、ラジエータの下端に上下方向に対向し、かつ、地面と直接対向する部分、または地面とカバー相当部材のみを介して対向する部分に、少なくとも一部が設けられた弾性配管を有することを特徴とする燃料電池搭載車両である。
【０００９】
また、好ましくは、カバー相当部材は、金属よりも変形しやすい材料製とする。
【００１０】
また、より好ましくは、車体を構成するフロアパネルの下側に、燃料電池を搭載する。
【００１１】
また、より好ましくは、弾性配管の少なくとも一部は、冷媒経路を構成する配管のうちの最も下端に位置する。
【００１２】
また、より好ましくは、冷媒経路は、燃料電池から送り出された冷媒を、ラジエータに通過させた後、冷媒ポンプに送り出すための本経路と、燃料電池と冷媒ポンプとの間に、冷媒の流れに関して本経路と並列に接続されたバイパス経路と、を備え、弾性配管は、バイパス経路の少なくとも一部を構成する。
【００１３】
また、より好ましくは、冷媒経路は、弾性配管の片側に接続した金属配管を備え、金属配管において、弾性配管と接続する側である、下端寄り部分に、冷媒抜き取り用のドレンプラグを取り付ける。
【００１５】
また、好ましくは、ラジエータは、主ラジエータと、主ラジエータ用の冷媒経路に接続され、冷媒の流れに関して主ラジエータと並列に設けて、主ラジエータの下側に配置した副ラジエータと、により構成し、弾性配管の少なくとも一部は、副ラジエータの下端に上下方向に対向するように配置する。
【００１６】
また、好ましくは、ラジエータは、主ラジエータと、主ラジエータ用の冷媒経路に接続され、冷媒の流れに関して主ラジエータと並列に設けて、主ラジエータの下側に配置した副ラジエータと、により構成しており、弾性配管の少なくとも一部は、副ラジエータの下端に上下方向に対向するように配置しており、主ラジエータの車両前後方向後端に対向する部分に燃料電池を配置するとともに、上下方向に関して燃料電池の下端よりも下側に副ラジエータを配置する。
【発明の効果】
【００１７】
本発明に係る燃料電池搭載車両によれば、冷媒経路は、地面と直接対向する部分、または地面とカバー相当部材のみを介して対向する部分に設けられた弾性配管を有するため、車両が地面の段差を乗り越えたり、縁石に乗り上げる等により、地面側から車両の下部に衝撃が加わった場合でも、弾性配管が弾性変形することにより、地面からの力を弾性配管により吸収しやすくでき、地面側から燃料電池冷却用の冷媒を流す配管を介して、上側の他の部品に加わる力を小さく抑えて、他の部品が大きく変形したり、破損することを有効に防止できる。この結果、燃料電池搭載車両の耐久性の向上を図れる。
【００１８】
また、弾性配管の少なくとも一部は、冷媒経路を構成する配管のうちの最も下端に位置する構成によれば、冷媒経路を構成する配管のうち、最も地面側から力が加わりやすくなる部分が弾性配管となるため、冷媒経路は、地面と直接またはカバー相当部材のみを介して対向する部分に設けられた弾性配管を有するという本発明の構成を採用することにより得られる効果が、より顕著になる。
【００１９】
また、冷媒経路は、燃料電池から送り出された冷媒を、ラジエータに通過させた後、冷媒ポンプに送り出すための本経路と、燃料電池と冷媒ポンプとの間に、冷媒の流れに関して本経路と並列に接続されたバイパス経路と、を備え、弾性配管は、バイパス経路の少なくとも一部を構成する構成によれば、本経路を構成する配管を長くして、ラジエータ下側に配置することなく、地面側から配管に力が加わった場合でも、配管上側のラジエータが大きく変形するのをより有効に防止できる。また、本経路を構成する配管をラジエータ下側に配置する場合よりも、バイパス経路を構成する配管をラジエータ下側に配置する方が、配管の取り回し性の向上を図れる。
【００２０】
また、冷媒経路は、弾性配管の片側に接続した金属配管を備え、金属配管において、弾性配管と接続する側である、下端寄り部分に、冷媒抜き取り用のドレンプラグを取り付ける構成によれば、燃料電池の交換時や、冷媒経路を構成する部品のメインテナンス時等において、冷媒経路内から冷媒を抜き取る場合に、弾性配管を弾性変形させつつ持ち上げることにより、ドレンプラグから弾性配管内の冷媒を抜き取りやすくできる。このため、弾性配管に冷媒取り出し口を設けることなく、弾性配管内に存在する冷媒を含め冷媒経路から多くの冷媒を抜き取りやすくできる。したがって、メインテナンス時の作業性向上を図れる。
【００２２】
また、ラジエータは、主ラジエータと、冷媒の流れに関して主ラジエータと並列に設けて、主ラジエータの下側に配置した副ラジエータと、により構成し、弾性配管の少なくとも一部は、副ラジエータの下端に上下方向に対向するように配置する構成によれば、ラジエータ全体の熱交換面積を大きくでき、しかもラジエータが主ラジエータと副ラジエータとに分離されるため、レイアウトの自由度を高くできる。また、弾性配管を副ラジエータの下端よりも下側に配置するので、地面側から弾性配管に力が加わった場合でも、地面側から副ラジエータに加わる力を小さくできて、副ラジエータが大きく変形するのを防止でき、主ラジエータを含むラジエータ全体が大きく変形するのをより有効に防止できる。さらに、副ラジエータの下側に弾性配管が位置する構成によれば、副ラジエータの取り外し時や、取り付け時に、弾性配管を弾性変形させつつ押し下げる等により、副ラジエータ配置周辺部の空間を広く確保しやすくでき、メインテナンス作業の作業性向上を図れる。
【００２３】
また、ラジエータは、主ラジエータと、冷媒の流れに関して主ラジエータと並列に設けて、主ラジエータの下側に配置した副ラジエータと、により構成し、弾性配管の少なくとも一部は、副ラジエータの下端に上下方向に対向するように配置し、主ラジエータの車両前後方向後端に対向する部分に燃料電池を配置するとともに、上下方向に関して燃料電池の下端よりも下側に副ラジエータを配置する構成によれば、副ラジエータ後側の空間を主ラジエータ後側の空間よりも広くしやすくできる。このため、主ラジエータを前後方向に通過した走行風等の空気流を、主ラジエータ後側から副ラジエータ後側に流しやすくでき、副ラジエータの後側に副ラジエータ冷却用のファンを配置することなく、副ラジエータの冷却性能をより有効に高くできる。
【発明を実施するための最良の形態】
【００２４】
以下において、図面を用いて本発明に係る実施の形態につき詳細に説明する。図１から図４は、本実施の形態を示している。図１は、燃料電池冷却システムを含む本実施の形態の燃料電池搭載車両の模式図である。図２は、図１の燃料電池冷却システムの構成図である。図３は、一部を省略して示す、本実施の形態の燃料電池搭載車両の前側下部を後方に見た図である。図４は、一部を省略して示す、本実施の形態の燃料電池搭載車両の図３のＡ−Ａ断面相当図である。
【００２５】
図１に示すように、本実施の形態の燃料電池搭載車両１０は、前側部分（図１の左側部分）に、燃料電池スタック１２を搭載している。なお、本明細書及び特許請求の範囲全体で、前側、後側は、それぞれ車両前後方向の前側、後側をいう。燃料電池スタック１２は、アノード側に水素ガス等の燃料ガスを供給し、カソード側に酸素を含む酸化ガス、例えば空気を供給し、酸化ガスと燃料ガスとの電気化学反応により発電し、必要な電力を取り出す。
【００２６】
また、燃料電池搭載車両１０は、燃料電池スタック１２を冷却するための燃料電池冷却システム１４を備える。燃料電池冷却システム１４は、燃料電池スタック１２を冷却するための冷媒である、冷却水を流す冷媒経路１６と、冷媒経路１６に設けられ、冷却水を冷却するラジエータ１８とを備える。ラジエータ１８は、主ラジエータ２０と、副ラジエータ２２とにより構成する。また、冷媒経路１６は、燃料電池スタック１２から送り出された冷却水を、主ラジエータ２０または副ラジエータ２２に通過させるための本経路２４と、燃料電池スタック１２から送り出された冷却水を、主ラジエータ２０及び副ラジエータ２２のいずれも介さずに、燃料電池スタック１２に還流させるためのバイパス経路２６とを備える。冷却水は、例えば、エチレングリコール系の不凍液である、ＬＬＣの着色しないものである。なお、図１に示した燃料電池冷却システム１４の構成要素の前後方向（図１の左右方向）に関する配置関係は、実際の配置関係を表すものではない。
【００２７】
次に、図２を用いて、燃料電池冷却システム１４の構成をより詳しく説明する。すなわち、燃料電池冷却システム１４は、燃料電池スタック１２を冷却するための冷却水を流すための冷媒経路１６と、冷媒経路１６に設けられ、冷却水を冷却するラジエータ１８とを備える。ラジエータ１８は、主ラジエータ２０と、副ラジエータ２２とにより構成する。また、冷媒経路１６は、燃料電池スタック１２から送り出された冷却水を主ラジエータ２０または副ラジエータ２２に通過させた後、冷媒ポンプである冷却水ポンプ２８に送り出すための本経路２４と、燃料電池スタック１２と冷却水ポンプ２８との間に、冷却水の流れに関して本経路２４と並列に接続されたバイパス経路２６とを備える。
【００２８】
本経路２４は、燃料電池スタック１２の冷媒出口（図１の点Ａ）と、主ラジエータ２０及び副ラジエータ２２の冷媒入口との間に接続した本経路上流側配管３０と、主ラジエータ２０及び副ラジエータ２２の冷媒出口とロータリバルブ３２との間に接続した本経路中間配管３４と、ロータリバルブ３２と燃料電池スタック１２の冷媒入口（図１の点Ｂ）との間に接続した本経路下流側配管３６とを備える。主ラジエータ２０と副ラジエータ２２とは、冷却水の流れに関して並列に設けている。
【００２９】
また、バイパス経路２６は、本経路上流側配管３０の上流側部分に設けた分岐部３８と、ロータリバルブ３２との間に接続している。分岐部３８は、切り替え弁を備えていない単なる分岐流路である。また、バイパス経路２６の冷却水流れに関して中間部から、第２冷却水経路４０の上流側部分を分岐させており、第２冷却水経路４０を流れた冷却水が、エアコンプレッサ（ＡＣＰ）４２とインタークーラ（ＩＣ）４４とを順に通過するようにしている。第２冷却水経路４０の下流端は、本経路下流側配管３６において、ロータリバルブ３２と冷却水ポンプ２８との間部分に接続している。
【００３０】
また、本経路下流側配管３６において、ロータリバルブ３２と燃料電池スタック１２の冷媒入口（図１の点Ｂ）との間から、第３冷却水経路４６の上流側部分を分岐させており、第３冷却水経路４６を流れた冷却水が、イオン交換器４８を通過するようにしている。第３冷却水経路４６の下流端は、第２冷却水経路４０のうち、インタークーラ４４よりも冷媒の流れに関して下流側部分に接続している。
【００３１】
このような燃料電池冷却システム１４は、冷却水ポンプ２８を駆動させることにより、冷却水が図２の矢印方向に流れて、主ラジエータ２０と副ラジエータ２２とを通過する。両ラジエータ２０，２２を通過した冷却水は、それぞれのラジエータ２０，２２を厚さ方向に通過する空気との間で熱交換を行って温度低下する、すなわち冷却される。このため、各ラジエータ２０，２２を通過した冷却水が燃料電池スタック１２の内部を流れることで、燃料電池スタック１２の温度が過度に上昇することが防止される。また、燃料電池スタック１２の冷媒出口（図１の点Ａ）からバイパス経路２６の上流側に送られた低温の冷却水は、第２冷却水経路４０を通じてエアコンプレッサ４２とインタークーラ４４とに流れるため、エアコンプレッサ４２及びインタークーラ４４の過度の温度上昇が防止される。エアコンプレッサ４２は、図示しないモータにより駆動し、燃料電池スタック１２に送る酸化ガス、例えば空気を容積圧縮してその圧力を高める気体昇圧機である。また、インタークーラ４４は、エアコンプレッサ４２で圧縮された酸化ガスを冷却する機能を有する。
【００３２】
一方、冷却水ポンプ２８の出口から本経路下流側配管３６の下流側に送られた低温の冷却水は、第３冷却水経路４６を通じてイオン交換器４８に流れるため、イオン交換器４８の過度の温度上昇が防止される。イオン交換器４８は、例えば、図示しない本体部の内部に、冷却水中の導電性イオンである金属イオンを吸着する図示しないイオン交換樹脂を収容している。イオン交換樹脂は、イオン交換器４８に送られた冷却水が通過することにより、冷却水中に含まれる金属イオンの少なくとも一部を除去する機能を有する。このようなイオン交換器４８は、燃料電池スタック１２を流れる冷媒中に金属イオンが多く含まれることを防止して、冷却水が接触する金属製の部分を介して周辺の部品に漏電するのを有効に防止するために利用する。
【００３３】
さらに、ロータリバルブ３２は、三方式の冷却水流れ切り替え弁であり、冷却水を主ラジエータ２０または副ラジエータ２２に流す場合と、冷却水をバイパス経路２６の下流側部分に流す場合とを切り替え可能としている。ロータリバルブ３２の切り替えは、図示しない制御部で制御する。制御部には、燃料電池スタック１２の温度等、運転状態を検知する検知手段からの信号が入力され、この信号に基づいて、冷却水ポンプ２８の回転数、ロータリバルブ３２の切り替え等を制御する。ロータリバルブ３２の切り替えは、冷却水を主ラジエータ２０及び副ラジエータ２２に流す場合と、冷却水をバイパス経路２６の下流側部分に流す場合とを切り替え可能とするだけでなく、冷却水を主ラジエータ２０及び副ラジエータ２２と、バイパス経路２６の下流側部分とに流す場合において、両ラジエータ２０，２２とバイパス経路２６とのそれぞれを流れる冷媒の流量を調節可能とする機能も有する。
【００３４】
特に、本実施の形態では、バイパス経路２６の、第２冷却水経路４０の上流端との接続部よりも下流側部分（図２の破線αで囲んだ部分）は、ゴム等の弾性材製の弾性配管を有する。
【００３５】
すなわち、図３に示すように、燃料電池搭載車両１０の前側下部に配置した副ラジエータ２２の下面よりも下側に、バイパス経路２６の下流側部分を構成する配管５０の一部を配置し、配管５０の副ラジエータ２２の下側に配置した部分を、ゴム等の弾性材製の弾性配管５２により構成している。より具体的には、副ラジエータ２２の下側に、バイパス経路２６を構成する、略Ｕ字形に形成した配管５０の下端部、すなわち長さ方向中間部を配置している。また、配管５０の下端部を含む部分を、略Ｕ字形の弾性配管５２により構成している。また、副ラジエータ２２の下面に、弾性配管５２の長さ方向中間部外周面を、隙間を介して対向させている。弾性配管５２の両側には、配管５０を構成する金属配管５４ａ，５４ｂを接続している。
【００３６】
また、図４に示すように、燃料電池搭載車両１０を幅方向に見た場合に、副ラジエータ２２の上側に、主ラジエータ２０を配置している。逆に言えば、主ラジエータ２０の下側に副ラジエータ２２を配置している。また、主ラジエータ２０の後側（図４の右側）に、ラジエータ冷却用ファン５６を設けている。また、図示は省略するが、主ラジエータ２０の前側（図４の左側）に、ボンネット下側部材、フロントバンパー等の前側車体構成部材に設けた開口である、ラジエータグリルを設けている。
【００３７】
主ラジエータ２０の下部は、燃料電池搭載車両１０の前部に設けて、車体を構成するラジエータサポートメンバー５８により支持している。また、ラジエータサポートメンバー５８の後側の、下側に、副ラジエータ２２の上部を直接または図示しない他の部材を介して支持している。
【００３８】
また、ラジエータ冷却用ファン５６の後側に燃料電池スタック１２を設けている。このため、主ラジエータ２０の後端に、燃料電池スタック１２が、ラジエータ冷却用ファン５６を介して対向する。燃料電池スタック１２は、車体を構成する部材の上側に支持している。また、副ラジエータ２２は、上下方向に関して燃料電池スタック１２の下端よりも下側に配置している。副ラジエータ２２は、アルミニウム合金等の金属製である。
【００３９】
また、車体の前部で、ラジエータグリルを設けた前側車体構成部材の下側に、カバー相当部材である、アンダーカバー６０を設けるとともに、アンダーカバー６０の後端部（図４の右端部）に副ラジエータ２２の下部を結合または支持している。また、副ラジエータ２２の後側に、車体を構成するサスペンションメンバー６２を設けている。図示しないフロントサスペンションを構成する部品は、サスペンションメンバー６２により支持される。サスペンションメンバー６２の高さ及び前後方向（図４の左右方向）の寸法は、それぞれ燃料電池スタック１２の高さ及び前後方向の寸法に比べて十分に小さい。
【００４０】
また、主ラジエータ２０及び副ラジエータ２２のそれぞれの下端部に、冷却水抜き取り用のラジエータ側ドレンプラグ（図示せず）を取り付けている。ラジエータ側ドレンプラグは、運転時を含む通常時には使用せず、すなわち閉鎖したままとして、メインテナンス時にのみ使用する、すなわち開放する場合がある。
【００４１】
また、アンダーカバー６０の前面部に複数の開口を有する格子部６４を設けており、図４に矢印βで示すように、格子部６４を通じてアンダーカバー６０内に送られた走行風等の空気流が、副ラジエータ２２を通過した後、下側に抜けるようにしている。すなわち、アンダーカバー６０の内側は、主ラジエータ２０の前側に、図４に矢印γで示すように送られる空気流とは独立して、副ラジエータ２２の前側に空気を送るダクト状になっている。
【００４２】
このような燃料電池搭載車両１０において、副ラジエータ２２の下端よりも下側に弾性配管５２の長さ方向中間部を配置し、弾性配管５２の長さ方向中間部の前側及び下側を、アンダーカバー６０の下端寄り部分により覆っている。弾性配管５２の中間部外周面の下端部は、アンダーカバー６０の下端部を構成する板状の下側突出部６６のみを介して地面６８と対向している。また、地面６８から弾性配管５２の下端までの距離Ｄは、好ましくは、１５０〜２００ｍｍ、より好ましくは、約１７０ｍｍとする。また、弾性配管５２の下端部である、長さ方向中間部は、冷媒経路１６を構成する配管のうちで最も下端に位置する。なお、弾性配管５２は、車輪を除く燃料電池搭載車両１０の構成部材のうちで最下部に配置される部材とすることもできる。
【００４３】
また、アンダーカバー６０は、金属よりも変形しやすい材料、例えば樹脂等により造っている。副ラジエータ２２を前後方向に通過した空気の少なくとも一部は、副ラジエータ２２の後側からアンダーカバー６０の下側突出部６６の後端縁（図４の右端縁）と、サスペンションメンバー６２の前側面との間部分を通じて下側に送られるようにしている。副ラジエータ２２後側には、副ラジエータ２２冷却用の冷却用ファンは設けていない。
【００４４】
図３に戻り、弾性配管５２の両端部は、副ラジエータ２２の幅方向（図３の左右方向）両側面よりも幅方向外側に位置させて、弾性配管５２の両端部のそれぞれを、金属配管５４ａ，５４ｂの下端部に接続している。また、弾性配管５２の片側（図３の左側）に接続した金属配管５４ａにおいて、弾性配管５２と接続する側である、下端寄り部分に、冷却水抜き取り用のバイパス経路側ドレンプラグ７０を接続している。また、バイパス経路側ドレンプラグ７０は、弾性配管５２の最下端からＨ分（図３）、すなわち６０ｍｍ上方に離れた位置までの範囲内に設けている。バイパス経路側ドレンプラグ７０は、運転時を含む通常時には使用せず、すなわち閉鎖したままとして、メインテナンス時にのみ使用する、すなわち開放する場合がある。
【００４５】
上記のような燃料電池搭載車両１０によれば、冷媒経路１６は、地面とアンダーカバー６０（図４）のみを介して対向する部分に設けられた、弾性材製の弾性配管５２を有するため、車両が地面６８の段差を乗り越えたり、縁石に乗り上げる等により、地面６８側からアンダーカバー６０を介して、弾性配管５２を含む、車両の下部に衝撃が加わった場合でも、弾性配管５２が弾性変形することにより、地面からの力を弾性配管５２により吸収しやすくできる。このため、地面６８側から燃料電池スタック１２冷却用の冷却水を流す配管である、弾性配管５２を介して、上側の他の部品である、副ラジエータ２２に加わる力を小さく抑えて、副ラジエータ２２が大きく変形したり、破損することを有効に防止できる。この結果、燃料電池搭載車両１０の耐久性の向上を図れる。
【００４６】
これに対して、本実施の形態の場合と異なり、冷媒経路１６のうち、地面６８とアンダーカバー６０のみを介して対向する部分を、金属製の下側金属配管とした場合には、下側金属配管を弾性材製の弾性配管５２とする場合に比べて、軽量化の面等から配管の肉厚が小さくなりやすくなるとともに、放熱係数が高くなりやすくなる。すなわち、この場合には、下側金属配管内から下側金属配管を通じて放熱しやすくなる。また、車輪を除く燃料電池搭載車両１０の構成部材のうちの最下部等、低い位置に下側金属配管が配置される場合には、下側金属配管に風が当たりやすくなり、下側金属配管内からさらに放熱しやすくなる。例えば、地面６８と直接対向する部分、または、地面６８とアンダーカバー６０のみを介して対向する部分を、金属製の下側金属配管とした場合には、単位時間当たり、すなわち毎秒で、約４００Ｗ等の大きさの熱量が下側金属配管内から失われる可能性があり、暖機時間が長くなったり、燃料電池スタック１２の保温運転が難しくなる原因となる。
【００４７】
これに対して、本実施の形態では、冷媒経路１６は、地面６８とアンダーカバー６０のみを介して対向する部分に、ゴム等の弾性材製の弾性配管５２を有するものとしているため、弾性配管５２部分の肉厚を重量を抑えつつ大きくしやすくできるとともに、放熱係数を低くしやすくできる。このため、弾性配管５２が低い位置に配置されることに伴い、弾性配管５２に風が当たりやすくなっても、弾性配管５２内部から放熱されにくくなる。したがって、暖機時間を短くできるとともに、燃料電池スタック１２の保温運転を行いやすくできる。例えば、実験等により、本実施の形態では、弾性配管５２を金属配管とする場合に比べて、配管内からの単位時間当たり、すなわち毎秒の放熱量を約４２０Ｗ減少できることを確認できた。
【００４８】
また、弾性配管５２の長さ方向中間部は、冷媒経路１６を構成する配管のうちの最も下端に位置するので、冷媒経路１６を構成する配管のうち、最も地面６８側から力が加わりやすくなる部分が、弾性配管５２となる。このため、冷媒経路１６は、地面６８とアンダーカバー６０のみを介して対向する部分に設けられた、弾性材製の弾性配管５２を有するという本実施の形態の構成を採用することにより得られる効果が、より顕著になる。
【００４９】
また、冷媒経路１６は、燃料電池スタック１２から送り出された冷却水を、主ラジエータ２０及び副ラジエータ２２に通過させた後、冷却水ポンプ２８に送り出すための本経路２４と、燃料電池スタック１２と冷却水ポンプ２８との間に、冷却水の流れに関して本経路２４と並列に接続されたバイパス経路２６とを備える。また、弾性配管５２は、バイパス経路２６の一部を構成している。このため、本経路２４を構成する配管を長くして、主ラジエータ２０及び副ラジエータ２２の下側に配置することなく、地面６８側から配管に力が加わった場合でも、配管上側の主ラジエータ２０及び副ラジエータ２２が大きく変形するのをより有効に防止できる。また、本経路２４を構成する配管を主ラジエータ２０及び副ラジエータ２２の下側に配置する場合よりも、バイパス経路２６を構成する配管５０を主ラジエータ２０及び副ラジエータ２２の下側に配置する方が、配管５０の取り回し性の向上を図れる。
【００５０】
また、冷媒経路１６は、弾性配管５２の片側に接続した金属配管５４ａを備え、金属配管５４ａにおいて、弾性配管５２と接続する側である、下端寄り部分に、冷却水抜き取り用のバイパス経路側ドレンプラグ７０を取り付けている。このため、燃料電池スタック１２の交換時や、冷媒経路１６を構成する部品のメインテナンス時等において、冷媒経路１６内から冷却水を抜き取る場合に、弾性配管５２を弾性変形させつつ持ち上げることにより、バイパス経路側ドレンプラグ７０から弾性配管５２内の冷媒を抜き取りやすくできる。したがって、弾性配管５２に冷媒取り出し口を設けることなく、弾性配管５２内に存在する冷却水を含め冷媒経路１６から多くの冷却水を抜き取りやすくできる。この結果、メインテナンス時の作業性向上を図れる。例えば、バイパス経路側ドレンプラグ７０を、弾性配管５２の最下端から上方へ６０ｍｍ離れた位置までの範囲内に設けることにより、バイパス経路側ドレンプラグ７０による冷却水抜き取り後に、弾性配管５２内に残留する残冷却水量を、約２００ｃｃと十分に少なくできる。この程度の残冷却水量であれば、弾性配管５２を取り外す場合に作業者に冷却水がかかるのを有効に防止できるか、または作業者に冷却水がかかるのを実用上問題ないレベルに抑えることができる。
【００５１】
特に、本実施の形態では、上記のように、冷媒経路１６は、燃料電池スタック１２から送り出された冷却水を、主ラジエータ２０及び副ラジエータ２２に通過させた後、冷却水ポンプ２８に送り出すための本経路２４と、燃料電池スタック１２と冷却水ポンプ２８との間に、冷却水の流れに関して本経路２４と並列に接続されたバイパス経路２６とを備える。このため、バイパス経路２６を構成する金属配管５４ａにバイパス経路側ドレンプラグ７０を取り付けたことと相まって、冷媒経路１６全体から多くの冷却水を抜き取りしやすくできる。例えば、冷却水の抜き取り作業は、燃料電池スタック１２を含む燃料電池システムの運転停止状態で行い、この場合には、ロータリバルブ３２により、主ラジエータ２０及び副ラジエータ２２の冷却水出口と冷却水ポンプ２８の入口とが連通するが、バイパス経路２６の下流側部分と冷却水ポンプ２８の入口とがロータリバルブ３２を介しては連通しない状態となる。この場合に、主ラジエータ２０及び副ラジエータ２２の一方または両方に設けたラジエータ側ドレンバルブからだけでは、冷媒経路１６全体から多くの冷却水を抜き取ることは難しい。これに対して、上記のような本実施の形態の構成によれば、主ラジエータ２０及び副ラジエータ２２の一方または両方に設けたラジエータ側ドレンバルブからと、バイパス経路側ドレンプラグ７０からとにより、冷媒経路１６全体から多くの冷却水を抜き取ることを容易に行える。
【００５２】
また、弾性配管５２の長さ方向中間部は、主ラジエータ２０及び副ラジエータ２２の下端よりも下側に配置している。このため、弾性配管５２を主ラジエータ２０及び副ラジエータ２２の後側に対向する部分に配置せずに済む。したがって、主ラジエータ２０及び副ラジエータ２２の後側に対向する部分に弾性配管５２を配置する場合と異なり、主ラジエータ２０及び副ラジエータ２２を車両前後方向に通過する走行風等の空気流が流れにくくなることを防止して、主ラジエータ２０及び副ラジエータ２２の冷却性能をより有効に高くすることができる。これに対して、本実施の形態の場合と異なり、図４にδで示す位置に弾性配管５２等の配管を配置すると、主ラジエータ２０及び副ラジエータ２２を通過する空気流が大きく妨げられ、主ラジエータ２０及び副ラジエータ２２の冷却性能が大きく低下する可能性がある。本実施の形態では、図４のδ位置に配管を配置せずに済むため、このような不都合をなくせる。
【００５３】
また、本実施の形態の場合と異なり、副ラジエータ２２の上側に、弾性配管５２及びバイパス経路側ドレンプラグ７０を配置する場合には、弾性配管５２が、バイパス経路２６を構成する配管のうちで最も低い位置には配置されにくくなる。このため、弾性配管５２よりも上側のバイパス経路側ドレンプラグ７０を通じての、バイパス経路２６内部の冷却水の抜き取り可能量を多くすることが難しくなる。また、この場合には、バイパス経路２６から冷却水を抜き取る場合に、副ラジエータ２２等、取り外しに時間を要する周辺部品を取り外す必要が生じて、作業性が低下する可能性がある。また、この場合には、弾性配管５２を含むバイパス経路２６を構成する配管５０の配置空間を確保することが困難になる。本実施の形態では、弾性配管５２及びバイパス経路側ドレンプラグ７０を低い位置に配置しやすくできるため、このような不都合をいずれもなくせる。
【００５４】
また、ラジエータ１８は、主ラジエータ２０と、冷媒の流れに関して主ラジエータ２０と並列に設けて、主ラジエータ２０の下側に配置した副ラジエータ２２とにより構成し、弾性配管５２の長さ方向中間部は、副ラジエータ２２の下端よりも下側に配置している。このため、ラジエータ１８全体の熱交換面積を大きくでき、しかもラジエータ１８が主ラジエータ２０と副ラジエータ２２とに分離されるため、レイアウト、すなわち部品配置の自由度を高くできる。また、弾性配管５２を副ラジエータ２２の下端よりも下側に配置するので、地面６８側から弾性配管５２に力が加わった場合でも、地面６８側から副ラジエータ２２に加わる力を小さくできて、副ラジエータ２２が大きく変形するのを防止でき、主ラジエータ２０を含むラジエータ１８全体が大きく変形するのをより有効に防止できる。さらに、副ラジエータ２２の下側に弾性配管５２が位置するため、副ラジエータ２２の取り外し時や、取り付け時に、弾性配管５２を弾性変形させつつ押し下げる等により、副ラジエータ２２配置周辺部の空間を広く確保しやすくでき、メインテナンス作業の作業性向上を図れる。
【００５５】
さらに、主ラジエータ２０の後端に対向する部分に燃料電池スタック１２を配置するとともに、上下方向に関して燃料電池スタック１２の下端よりも下側に副ラジエータ２２を配置している。このため、副ラジエータ２２後側の空間を主ラジエータ２０後側の空間よりも広くしやすくできる。したがって、主ラジエータ２０後側を流れる空気流に対する抵抗、または空気流の圧力よりも、副ラジエータ２２後側を流れる空気流に対する抵抗、または空気流の圧力を小さくしやすくでき、主ラジエータ２０を前後方向に通過した走行風等の空気流を、図４の矢印ηで示すように、主ラジエータ２０後側から副ラジエータ２２後側に流しやすくでき、副ラジエータ２２の後側に副ラジエータ２２冷却用のファンを配置することなく、副ラジエータ２２の冷却性能をより有効に高くできる。
【００５６】
なお、図示は省略するが、冷媒経路１６は、地面６８と直接に、すなわちアンダーカバー６０を介さずに対向する部分に、弾性配管５２を有する構成とすることもできる。また、弾性配管５２をアンダーカバー６０以外のカバー相当部材を介して地面６８と対向させる構成とすることもできる。カバー相当部材は、例えば、金属よりも変形しやすい樹脂等の材料製とする。
【００５７】
また、バイパス経路２６を構成する配管５０のうち、燃料電池搭載車両１０を前側から後方に見た場合の、弾性配管５２に対して右左いずれの側に接続する金属配管５４ａ，５４ｂに対しても、バイパス経路側ドレンプラグ７０を取り付けることができる。すなわち、図３の弾性配管５２に対して左右両側に位置する金属配管５４ａ，５４ｂのうち、図３の右側に位置する金属配管５４ｂの下端寄り部分にバイパス経路側ドレンプラグ７０を取り付けることもできる。
【００５８】
また、本実施の形態では、燃料電池搭載車両１０の前部に燃料電池スタック１２を搭載しているが、本発明はこのような構成に限定するものではない。例えば、本実施の形態は、燃料電池搭載車両１０の車体を構成するフロアパネルの下側に、燃料電池スタック１２を搭載した構成と組み合わせる、すなわちこのような構成で本発明を実施することもできる。
【図面の簡単な説明】
【００５９】
【図１】燃料電池冷却システムを含む、本発明の第１の実施の形態の燃料電池搭載車両の模式図である。
【図２】図１の燃料電池冷却システムの構成図である。
【図３】一部を省略して示す、第１の実施の形態の燃料電池搭載車両の前側下部を後方に見た図である。
【図４】一部を省略して示す、第１の実施の形態の燃料電池搭載車両の図３のＡ−Ａ断面相当図である。
【符号の説明】
【００６０】
１０  燃料電池搭載車両、１２  燃料電池スタック、１４  燃料電池冷却システム、１６  冷媒経路、１８  ラジエータ、２０  主ラジエータ、２２  副ラジエータ、２４  本経路、２６  バイパス経路、２８  冷却水ポンプ、３０  本経路上流側配管、３２  ロータリバルブ、３４  本経路中間配管、３６  本経路下流側配管、３８  分岐部、４０  第２冷却水経路、４２  エアコンプレッサ（ＡＣＰ）、４４  インタークーラ（ＩＣ）、４６  第３冷却水経路、４８  イオン交換器、５０  配管、５２  弾性配管、５４ａ，５４ｂ  金属配管、５６  ラジエータ冷却用ファン、５８  ラジエータサポートメンバー、６０  アンダーカバー、６２  サスペンションメンバー、６４  格子部、６６  下側突出部、６８  地面、７０  バイパス経路側ドレンプラグ。
【図１】
0005211608.tif 000002
【図２】
0005211608.tif 000003
【図３】
0005211608.tif 000004
【図４】
0005211608.tif 000005